(57)【特許請求の範囲】
【請求項１】
Ｉ．Ｓ．ガラス成形機械にて使用されるプランジャ機構において、
上下方向に伸びる円筒穴（６、８）を有する下側部分（４）と、上側部分（１４）と、前記下側部分（４）と前記上側部分（１４）とが合わさる位置に設けられた棚手段（１６、１８）とを有する単一体ハウジング（２）と、
ピストンロッド（２６）上に取り付けられたピストンヘッド（２８）であって、前記円筒穴（６、８）と密封係合状態にて軸方向に動くように配置され、前記ピストンロッド（２６）の自由端がプランジャを支持し得るようにされた、前記ピストンヘッド（２８）と、
前記円筒穴（６、８）の下端を密封する下側密封部材（２０）と、
前記ピストンロッド（２６）が軸方向に変位されるとき、前記ピストンロッド（２６）を案内すべく前記下側密封部材（２０）から伸びるロッド案内手段（２４）と、
前記円筒穴（６、８）の上端を密封し、前記ピストンロッド（２６）が通ることのできる開口（３８）を有する上側密封部材（３４）であって、開いた頂部から前記単一体ハウジング（２）内に挿入可能であり、前記棚手段（１６、１８）に当接するまで下方に変位され、また、前記単一体ハウジング（２）の前記上側部分（１４）及び前記下側部分（４）が合わさる位置に隣接する所定位置に配置される形態とされた、前記棚手段（１６、１８）により支持される、前記上側密封部材（３４）と、
前記所定位置に配置された前記上側密封部材（３４）を前記単一体ハウジング（２）の前記棚手段（１６、１８）に締結する締結手段（３６）とを備える、プランジャ機構。
【請求項２】
請求項１によるプランジャ機構において、
前記締結手段が、前記上側密封部材を通って前記棚手段内に伸びる複数のねじを備える、プランジャ機構。
【請求項３】
請求項１によるプランジャ機構において、
２つのプランジャを備え、前記単一体ハウジングの下側部分が、上下方向に伸びる２つの円筒穴を備え、該円筒穴の上端を密封する２つの上側密封部材を備える、プランジャ機構。
【発明の詳細な説明】
【０００１】
【発明の属する技術分野】
本発明は、Ｉ．Ｓ．型のガラス製品製造機械内でパリソンプランジャを作動させるプランジャ作動機構に関する。
【０００２】
周知のＩ．Ｓ．型機械にてプレスブロー法によりガラス容器を製造するとき、ガラスゴブ（ガラス塊）をパリソン金型に提供し、次に、そのパリソン金型を閉じて、金型内に上方に移動するプランジャによりガラスゴブをプレスして、所望のパリソンの形状にし、ガラスゴブの下方部分を金型のネックリング内に付勢する。次に、プランジャを引き抜いて、パリソンをネックリングによりパリソン成形ステーション運び且つブロー金型ステーションまで搬送し、このブロー金型ステーションにて、所望の形状に吹込み成形する。典型的なプランジャ作動機構は、米国特許第４，２７２，２７３号に記載されている。この機構は、空圧作動型であり、一体のベース部分によりその下端にて閉じられた垂直の円筒穴を有する下方シリンダ部材を備えておうり、この穴内にてピストンロッド上にピストンヘッドが取り付けられている。ピストンロッドの上方の自由端がプランジャを支持する。中空管の形態をしており、ピストンロッドを案内し且つプランジャ機構に対し冷風を供給する働きをするロッドガイドがシリンダ部材のベース部分内に固着されている。シリンダ穴の上端が別個の上側ケーシングにより閉じられる。ピストンロッドが貫通するシリンダの密封部分が下側シリンダと上側ケーシングとの間に挟持されている。プランジャ案内及び位置決め機構を受け入れる上側ケーシングは、適当な締結具により下側シリンダにクランプ止めされている。下側シリンダ部材と該シリンダ部材に固着された上側ケーシングとを備える、この構造体は高価である。
【０００３】
【発明が解決しようとする課題】
従って、本発明の１つの目的は、より経済的なプランジャ作動機構を提供することである。
【０００４】
【課題を解決するための手段】
Ｉ．Ｓ．ガラス成形機械にて使用されるプランジャ機構において、上下方向に伸びる円筒穴を有する下側部分と、上側部分と、前記下側部分と前記上側部分とが合わさる位置に設けられた棚手段とを有する単一体ハウジングと、ピストンロッド上に取り付けられたピストンヘッドであって、前記円筒穴と密封係合状態にて軸方向に動くように配置され、前記ピストンロッドの自由端がプランジャを支持し得るようにされた、前記ピストンヘッドと、前記円筒穴の下端を密封する下側密封部材と、前記ピストンロッドが軸方向に変位されるとき、前記ピストンロッドを案内すべく前記下側密封部材から伸びるロッド案内手段と、前記円筒穴の上端を密封し、前記ピストンロッドが通ることのできる開口を有する上側密封部材であって、開いた頂部から前記単一体ハウジング内に挿入可能であり、前記棚手段に当接するまで下方に変位され、また、前記単一体ハウジングの前記上側部分及び前記下側部分が合わさる位置に隣接する所定位置に配置される形態とされた、前記棚手段により支持される、前記上側密封部材と、前記所定位置に配置された前記上側密封部材を前記単一体ハウジングの前記棚手段に締結する締結手段とを備える、プランジャ機構によって、本発明の上記課題が実現される。
【０００５】
本発明のその他の目的及び有利な点は、特許法の規定に従い、本発明の原理を具体化する現在の１つの好ましい実施の形態を示す、本明細書の以下の説明及び添付図面から明らかになるであろう。
【０００６】
【発明の実施の形態】
Ｉ．Ｓ．ガラス製品製造機械にて使用される空圧作動式のプランジャ機構が図面に図示されている。この機構は、プランジャ機構内で２つのプランジャを作動させるためのものであり、本明細書に記載しない部品を説明するために参照すべきである。米国特許第４，２７２，２７３号に記載された機構に、多くの点にて、類似している。プランジャ機構は、円筒体１０、１２に設けられた２つの垂直穴６，８を有する下側部分４と、その図１に関して特に説明した米国特許第４，２７２，２７３号に記載されたものと同様の通常のプランジャ案内及び位置決め機構を受け入れ得るようにされた上側部分１４とを有する、単一体のハウジング２を備えている。この機構の２つのプランジャは、同一構造であり、穴６及び円筒体１０を備える、図２に図示した左側機構についてのみ詳細に説明する。ハウジング２は、下側部分４と上側部分１４とが合わさる位置に棚手段を備える。この棚手段は、円筒体１０の上端の周りを伸びる棚１６と、円筒体１２の上端の周りを伸びる棚１８とを備えている。
【０００７】
穴６の下端は、ピン２２により所要位置に固着された下側密封部材２０により密封されている。該下側密封部材２０は、穴６の上端の僅か上方に達する、上方伸長の中空管２４の形態としたロッドガイドを備えている。この機構を使用するとき、冷風は管２４を通じて供給される。ピストンヘッド２８に固着された、中空のピストンロッド２６が管２４上に摺動可能に取り付けられており、このピストンロッドは、穴６と密封係合した状態で軸方向に動くように配置される（管２４の拡張ヘッド３０は、ピストンロッド２６と密な滑り嵌め状態にある）。ピストンロッド２６は、機構を使用するとき、プランジャを支持し得るようにされた上側の自由端部分３２を有している。管２４のヘッド３０は、ロッドが図２の左側に示した位置から図２の右側に示した位置まで垂直方向に動くとき、ピストンロッド２６に対するガイドを提供することが理解されよう。
【０００８】
下側部分４の円筒体１０及びハウジング２の上側部分１４が合わさる位置に隣接して上側密封部材３４が配置されており、孔６の上端を密封する。該上側密封部材３４は、全体として円形であり、また、単一体ハウジングの開放した上端内に挿入され且つ棚１６に当接する（着座する）迄、下方に変位されるような形態とされている。次に、この上側密封部材３４は、ねじ３６の形態をした締結手段により棚１６に固着される。上側密封部材３４は、中央開口３８を有しており、ピストンロッド２６は、この開口を摺動可能に通り、また、この中央開口は、ピストンロッド２６に対する軸受（ベアリング）を提供する。
【０００９】
明確化のため、本明細書にて省略した、追加的な従来技術の詳細については、上記の米国特許第４，２７２，２７３号を参照すべきである。
シリンダの壁に形成された、図示しない通路を通じてピストンヘッド２８の上方及び下方からシリンダ６内に空気が供給される。センサスリーブ４０がねじ４２により密封部材３４に固着されている。このセンサスリーブは、ピストンヘッドに固着された別のスリーブ４４と協働して、ピストンヘッドの位置に関する情報を提供する。その１つのみを図２に図示した、排気管４６は、ハウジング２の上側部分１４内のスペースから冷風を排出することを許容する。ばね付勢された位置決めピン４８は、機構をガラス機械内で配置することに助力する。
【図面の簡単な説明】
【図１】  幾つかの部品を切欠き且つその他の部品を省略した、プランジャ機構の斜視図である。
【図２】  図１の線ＩＩ−ＩＩに沿った断面図である。
【符号の説明】
２  ハウジング                    ４  下側部分
６、８  垂直穴                    １０、１２  円筒体  
１４  上側部分                    １６、１８  棚
２０  下側密封部材                ２２  ピン
２４  中空管                      ２６  ピストンロッド
２８  ピストンヘッド              ２１  自由端部分
３４  上側密封部材                ３６  ねじ
３８  中央開口                    ４０  センサスリーブ
４２  ねじ                        ４４  スリーブ
４６  排気管                      ４８  位置決めピン
【図１】
0004618967.tif 000002
【図２】
0004618967.tif 000003